(57)【要約】【課題】浮遊容量の影響によるレーザダイオードの発光パワーレベル波形の遷移時における立上がり、立下がり時間を短縮し、光ディスクへの記録特性、ひいては再生特性の改善を図る。【解決手段】目標発光パワーレベルに対応したレーザダイオードへの電流供給手段に加え、目標発光パワーレベルの遷移時に所定の時間だけ、目標発光パワーレベルより高いパワー、もしくは低いパワーに相当する電流を供給することによる。【選択図】  なし【特許請求の範囲】
【請求項１】
複数の目標発光パワーレベルがステップ状に変化するレーザダイオードの発光パワー制御手段であって、前記目標発光パワーレベルの各々に対応する前記レーザダイオードへの電流供給手段を有し、前記目標発光パワーレベルの遷移時において、遷移後の目標発光パワーレベルが遷移前の目標発光パワーレベルより高いときは、前記遷移後の目標発光パワーレベルよりも高い発光パワーレベルを得るための駆動電流を前記遷移後の目標発光パワーレベルが連続する時間より短い時間だけ前記レーザダイオードに供給するための高強調電流供給手段を有することを特徴としたレーザパワー制御装置。
【請求項２】
複数の目標発光パワーレベルがステップ状に変化するレーザダイオードの発光パワー制御手段であって、前記目標発光パワーレベルの各々に対応する前記レーザダイオードへの電流供給手段を有し、前記目標発光パワーレベルの遷移時において、遷移後の目標発光パワーレベルが遷移前の目標発光パワーレベルより低いときは、前記遷移後の目標発光パワーレベルよりも低い発光パワーレベルを得るための駆動電流を前記遷移後の目標発光パワーレベルが連続する時間より短い時間だけ前記レーザダイオードに供給するための低強調電流供給手段を有することを特徴としたレーザパワー制御装置。
【請求項３】
前記高強調電流及び低強調電流は、前記遷移前の目標発光パワーレベルと遷移後の目標発光パワーレベルに関連づけて決定されることを特徴とした請求項１または請求項２に記載のレーザパワー制御装置。
【請求項４】
前記高強調電流は遷移後の目標発光パワーレベルと遷移前の目標発光パワーレベル差に対応する前記レーザダイオードへの供給電流のｎ倍と前記遷移前の目標発光パワーレベルに対応する前記レーザダイオードへの供給電流と加算して決定されることを特徴とした請求項１に記載のレーザパワー制御装置。
【請求項５】
前記低強調電流は遷移前の目標発光パワーレベルと遷移後の目標発光パワーレベル差に対応する前記レーザダイオードへの供給電流のｍ倍を、前記遷移前の目標発光パワーレベルに対応する前記レーザダイオードへの供給電流から減算して決定されることを特徴とした請求項２に記載のレーザパワー制御装置。
【請求項６】
前記高強調電流をレーザダイオードに供給する時間は、前記高強調電流を前記レーザダイオードに供給しないときの、前記発光パワーレベルの遷移時における立上り時間と請求項４に記載の数ｎに関連して決定され、
前記低強調電流を前記レーザダイオードに供給する時間は、前記低強調電流を前記レーザダイオードに供給しないときの、前記発光パワーレベルの遷移時における立下り時間と請求項５に記載の数ｍに関連して決定されることを特徴とした請求項１または請求項２に記載のレーザパワー制御装置。
【請求項７】
前記高強調電流をレーザダイオードに供給する時間は、前記高強調電流を前記レーザダイオードに供給しないときの、前記発光パワーレベルの遷移時における立上り時間の１／ｎで決定され、
前記低強調電流を前記レーザダイオードに供給する時間は、前記低強調電流を前記レーザダイオードに供給しないときの、前記発光パワーレベルの遷移時における立下り時間の１／ｍで決定されることを特徴とした請求項１または請求項２に記載のレーザパワー制御装置。
【請求項８】
前記低強調電流の最小値はゼロあることを特徴とした請求項２に記載のレーザパワー制御装置。
【発明の詳細な説明】
【０００１】
【発明の属する技術分野】
本発明は、レーザダイオードの発光出力の制御装置に関するものであり、特に記録再生可能な光ディスク記録再生装置において、その光源として用いるレーザダイオードの発光出力を制御する際に有用なレーザパワー制御装置に関するものである。
【０００２】
【従来の技術】
光ディスクの記録時における従来のレーザパワー制御装置では、光ディスクの所定の記録領域に所定のパワーを有する記録レーザビームを照射するための基本的な構成と動作は以下のとおりである。即ち、前記光ディスクの特定領域で記録発光状態とし、記録基準信号とレーザダイオードの出力信号とを比較し、その比較値によって所定のレーザダイオードの発光パワーを得るためのサーボループと、前記サーボループの比較値のホールド手段を備え、前記ホールド手段の出力を光ディスクの所定の記録タイミングでレーザダイオードに供給するというものである（例えば特許文献１参照）。
【０００３】
また、従来のレーザパワー制御装置における一般的な構成を、レーザダイオードの発光パワーレベルが二つの場合について図５に示す。図５において１、２は、第一及び第二の直流電圧源であり、前述したサーボループのホールド手段に相当する意味を持たせたものである。そして、第一の目標発光パワーレベル、第二の目標発光パワーレベルに各々対応する電圧値Ｖ１、Ｖ２を出力する。３、４は定電流源であり、Ｖ１、Ｖ２に比例した電流Ｉ１、Ｉ２を出力し、定電流源３，４の出力は制御入力レベルがハイの状態でスイッチが閉じる状態となるアナログスイッチ６、７にそれぞれ接続され、さらにアナログスイッチ６、７の出力は両方ともレーザダイオード１１のアノードに接続されていて、電流信号１０をレーザダイオード１１に供給する。
【０００４】
一方、８は記録信号であり、インバータ５及びアナログスイッチ６の制御入力に接続され、インバータ５の出力信号９は記録信号８の反転状態を有し、アナログスイッチ７の制御入力に入力されている。
【０００５】
また図６は図５の各信号波形を示したものであって、図６に示した波形に付与した記号は図５と同様のものである。記録信号８が図６に示すようなタイミングを有しているとすれば、アナログスイッチ６は記録信号８により、またアナログスイッチ７はインバータ５の出力信号９によってその開閉状態が制御される。従って、レーザダイオード１１に供給される電流信号１０は図６に示すように電流レベル２０、２１を有する波形となり、この電流信号によってレーザダイオード１１が発光することになる。
【０００６】
なお、図６に示す電流レベル２０、２１は図５に示す定電流源３，４の出力電流Ｉ１、Ｉ２である。
【０００７】
【特許文献１】
特開平２−３３７３５号公報
【０００８】
【発明が解決しようとする課題】
しかしながら、一般的にレーザダイオード１１は浮遊容量を有しており、その浮遊容量はレーザダイオードと並列に挿入されるコンデンサとして等価回路的に表現されるが、この浮遊容量の、レーザダイオード１１の発光パワーレベル波形に対する影響を図７を用いて説明する。
【０００９】
図７において１０は図６に示すレーザダイオード１１に供給される電流信号１０と同様のものであり、その電流レベル２０、２１も図６に示す電流レベル２０、２１と同様の電流レベルを表し、その値は定電流源３、４の出力電流Ｉ１、Ｉ２である。
【００１０】
また３０は理想的な状態、即ち、図５に示すレーザダイオード１１に浮遊容量がないと仮定したときに得られるレーザダイオード１１の発光パワーレベル波形であって、レーザダイオード１１に供給される電流信号１０と相似形の波形（縦軸は発光パワーレベルを表す）が得られ、２２は第一の発光パワーレベルＰ１であり、２３は第二の発光パワーレベルＰ２である。なお、図６に示すレーザダイオード１１に供給される電流信号１０における電流レベル２０、２１（即ち、Ｉ１、Ｉ２）は発光パワーレベル２２、２３（即ち、Ｐ１、Ｐ２）を得るために必要な電流レベルである。
【００１１】
しかしながら、実際には前述した浮遊容量の影響で、図７に３１として示すような発光パワーレベル波形（縦軸は発光パワーレベルを表す）が得られる。即ち、レーザダイオード１１に供給される電流信号１０の電流レベル２０、２１がステップ状に変化するとき、発光パワーレベルが２３から２２に、あるいは２２から２３に遷移する過程において傾斜が現れるというものである。そして、この傾斜は浮遊容量をＣとし、図７における横軸を時間ｔとしたとき、レーザダイオード１１の発光レベル波形における低レベルから高レベルへの遷移時においては
【００１２】
【数１】
2004310901.tif 000002
【００１３】
高レベルから低レベルへの遷移時においては
【００１４】
【数２】
2004310901.tif 000003
【００１５】
で近似的に表現され、それらは電流値
【００１６】
【数３】
2004310901.tif 000004
【００１７】
の絶対値に比例し、そして電流値（数３）の絶対値は発光パワーレベルの差を得るために必要な電流値である。
【００１８】
なお、図７の発光レベル波形３０もしくは３１において、縦軸はレーザダイオード１１の発光パワーレベルを表すものであって、このような波形の観測手段は、レーザダイオードの発光ビームを光学的手段を用いてＰＩＮフォトダイオード上に集光し、その出力信号（電圧）をオシロスコープでモニターすることによるものであることを補足しておく。
【００１９】
さて、前述した浮遊容量の影響による、レーザダイオードの発光パワーレベルが低レベルから高レベルへ、または高レベルから低レベルへ遷移するときの傾斜は、光ディスク（例えば相変化型の記録膜上に強度変調されたレーザ光を集光することによってマークを形成し、形成されたマークの反射率の変化を検出して再生信号とするような記録再生原理に基づく光ディスク）の記録再生特性に以下のような課題として現れる。
【００２０】
即ち、その課題とは、光ディスク上でのマークの形成が、発光パワーレベルの高いときになされるとすれば、形成されたマーク始端部と終端部の反射率の変化の急峻性が失われることであり、従って、再生時における再生信号の立上がり立下り特性、即ち、再生系の周波数特性の劣化を招き、結果として再生信号の品質劣化（例えばＳＮ比低下）の原因となるものである。
【００２１】
【課題を解決するための手段】
上記課題を解決するため、本発明のレーザパワー制御装置は、各々の目標発光パワーレベルに対応したレーザダイオードへの電流供給手段に加え、レーザダイオードの目標発光パワーレベルの遷移時において、遷移後の目標発光パワーレベルが遷移前の目標発光パワーレベルより高いときは、前記遷移後の発光パワーレベルよりも高い発光パワーレベルを得ようとする電流を前記遷移後の目標発光パワーレベルが連続する時間より短い時間だけ前記レーザダイオードに供給し、遷移後の目標発光パワーレベルが遷移前の目標発光パワーレベルより低いときは、前記遷移後の目標発光パワーレベルよりも低い発光パワーレベルを得ようとする電流を前記遷移後の目標発光パワーレベルが連続する時間より短い時間だけ前記レーザダイオードに供給するための電流供給手段を有することを特徴とする。
【００２２】
【発明の実施の形態】
（実施の形態１）
さて、本発明におけるレーザパワー制御装置の実施の形態１について図面を参照しながら説明する。図１は本発明の実施の形態１におけるレーザパワー制御装置の構成を示すものである。
【００２３】
なお、本発明は複数の目標発光パワーレベルを要求するシステムに対してもその有効性を損なうものではないが、煩雑さを避けるため、本実施の形態では目標発光パワーレベルが２の場合について説明する。
【００２４】
図１において、５０、５１は第一及び第二の直流電圧源であり、従来例で説明した図５における１、２と同様の意味を有するものであり、第一の目標発光パワーレベル、第二の目標発光パワーレベルに各々対応する電圧値Ｖ１、Ｖ２を出力する。５２、５３は減算器であり、＋記号が付与された直流電圧から−記号が付与された直流電圧を減算した直流電圧をそれぞれ出力する。従って、減算器５２の出力直流電圧７０は
【００２５】
【数４】
2004310901.tif 000005
【００２６】
であり、減算器５３の出力直流電圧７１は
【００２７】
【数５】
2004310901.tif 000006
【００２８】
となる。５４は加算器であって、二つの直流電圧の和の直流電圧を出力するものである。従って、加算器５４の出力直流電圧７２は
【００２９】
【数６】
2004310901.tif 000007
【００３０】
となる。
【００３１】
また５５、５６、５７、５８は定電流源であって、それぞれの出力電流は第一の直流電圧源５０の出力電圧Ｖ１、加算器５４の出力電圧（数６）、減算器５３の出力電圧（数５）、第二の直流電圧源５１の出力電圧Ｖ２に比例した電流値であって、それらの比例定数、即ち電圧電流変換定数は４つの定電流源とも同一であり、それらの電流値は定電流源５５の出力電流をＩ１とし、定電流源５８の出力電流をＩ２とすれば、定電流源５６の出力電流をＩ３は
【００３２】
【数７】
2004310901.tif 000008
【００３３】
であり、従って、定電流源５６は高強調電流のレーザダイオード５９への供給手段であって、定電流源５７の出力電流をＩ４は
【００３４】
【数８】
2004310901.tif 000009
【００３５】
であり、従って、定電流源５７は低強調電流のレーザダイオード５９への供給手段である。
【００３６】
なお、高強調電流を決定するための指標とする数値ｎを（数７）におけるかっこ内の（数３）にかかる係数と定義し、低強調電流を決定するための指標とする数値ｍを（数８）におけるかっこ内の（数３）にかかる係数と定義すれば、上記の説明から明らかなように、本実施の形態においては高強調電流と低強調電流を決定するための指標とする数値ｎ及びｍはともに２であることとなる。
【００３７】
また、本実施の形態では、高強調電流と低強調電流をレーザダイオード５９に供給する時間は、高強調電流と低強調電流をレーザダイオード５９に供給しないときの発光パワーレベル波形の立上がり時間及び立下り時間（ともにＴとする）のｎ分の１、ｍ分の１として関連付けられ、従って、高強調電流と低強調電流をレーザダイオード５９に供給する時間は両方ともＴ／２となる。
【００３８】
一方、１００はその波形が矩形である記録信号であって、立上がりエッジでトリガされ、所定のパルス幅を有する出力信号１０１を得る単安定マルチバイブレータ（以下モノマルチと略して記す）６０、立下がりエッジでトリガされ、所定のパルス幅を有する出力信号１０２を得るモノマルチ６１、及び図３に示す真理値表に従って動作するロジック回路６２に入力されている。なお、モノマルチ６０はレーザダイオード５９に高強調電流を供給する時間を決定し、モノマルチ６１はレーザダイオード５９に低強調電流を供給する時間を決定する目的で設けられており、従って本実施の形態では、モノマルチ６０の出力信号１０１の有するパルス幅はＴ／２となり、モノマルチ６１の出力信号１０２の有するパルス幅もＴ／２となる。
【００３９】
さらにロジック回路６２にはモノマルチ６０、６１の出力信号１０１、１０２も入力されており、ロジック回路６２は前述したように図３に示す真理値表に従って動作し、４つの出力信号１０３、１０４、１０５、１０６を得る。
【００４０】
一方６３、６４、６５、６６は入力が定電流源５５、５６、５７、５８に接続され、出力がレーザダイオード５９のアノードに接続されたアナログスイッチであり、その開閉は前述したロジック回路６２の出力信号１０３、１０４、１０５、１０６によって制御され、レーザダイオード５９に流れる電流信号１０７が決定されることとなる。
【００４１】
以上のように構成された本実施の形態におけるレーザパワー制御装置についてその動作を図２、即ち図１おける各信号波形及び、図４、即ちレーザダイオード５９の発光レベル波形の図示とともに説明する。
【００４２】
なお、図１に示した信号に付与した符号と同一の符号を図２でも用いることとし、図４におけるレーザダイオード５９の発光レベル波形については、前述したようにレーザダイオードの発光ビームを光学的手段を用いてＰＩＮフォトダイオード上に集光し、その出力信号（電圧）のオシロスコープ上での観測波形を図示することとする。
【００４３】
さて、図２において１００は記録信号であり、一般的にはＴＴＬ、あるいはＥＣＬのような論理レベルを有する信号であって、そのハイ区間が第一の目標発光パワーレベルが連続する区間であり、ロウ区間が第二の目標発光パワーレベルが連続する区間とし、第一の目標発光パワーレベルのほうが第二の目標発光パワーレベルより高いパワーレベルとする。また信号１０１、１０２はモノマルチ６０、６１の出力信号であり、前述したようにモノマルチ６０、６１のトリガにかかる性質によって信号１０１は記録信号１００の立上がりエッジを基準に所定のパルス幅を有し、信号１０２は記録信号１００の立下がりエッジから所定のパルス幅を有するパルス信号となっている。なお、前記所定のパルス幅は、前述したようにＴ／２となるように設定されている。
【００４４】
一方、前述したように記録信号１００はモノマルチ６０、６１に入力されると同時に、モノマルチ６０、６１の出力信号１０１と１０２とともにロジック回路６２に入力されている。ロジック回路６２の動作、即ち、記録信号１００、モノマルチ６０、６１の出力信号１０１と１０２の入力論理に対応するロジック回路６２の出力信号１０３、１０４、１０５、１０６の論理は図３に示す真理値表に従ってただちに決定され、それらのタイミングは図２において１０３、１０４、１０５、１０６として、記録信号１００及びモノマルチ６０、６１の出力信号１０１、１０２と対比して示される。前述したように、ロジック回路６２の出力信号１０３、１０４、１０５、１０６はアナログスイッチ６３、６４、６５、６６の制御入力にそれぞれ入力されており、これらのアナログスイッチはその制御入力レベルがハイ状態で閉じるものとすれば、図２に示す区間Ｔ１、Ｔ２、Ｔ３、Ｔ４では定電流源５５、５６、５７、５８の出力電流がそれぞれレーザダイオード５９に流れることになる。従って、レーザダイオード５９に流れる電流信号の波形は図２における１０７の如くとなって、電流レベル１２０、１２１、１２２、１２３はそれぞれＩ１、Ｉ３（即ち（数７））、Ｉ４（即ち（数８））、Ｉ２と一致することとなる。
【００４５】
なお、区間Ｔ２、Ｔ４はそれぞれモノマルチ６０、６１の出力信号１０１、１０２の出力パルス幅に一致し、従って、区間Ｔ２はレーザダイオード５９に高強調電流を流す区間であり、区間Ｔ４はレーザダイオード５９に低強調電流を流す区間であって、その値は両方ともＴ／２である。
【００４６】
次に、図４について説明する。図４に記した１０７は、図２における１０７と同様のレーザダイオード５９に供給される電流信号の波形であり、１３０は１０７なる電流信号のレーザダイオード５９への供給に対するふるまいを表す発光パワーレベル波形である。
【００４７】
図４の１３０において、最初の区間Ｔ４ではレーザダイオード５９に供給される電流は電流レベル１２３（Ｉ２）であり、この区間では定常的なパワーレベル１３１、即ちＰ２が得られる。
【００４８】
二番目の区間Ｔ２（モノマルチ６０の出力信号１０１の出力パルス幅に相当）では電流レベル１２１（Ｉ３）が供給されるが、従来例での説明と同様の理由によって発光パワーレベルが近似的に
【００４９】
【数９】
2004310901.tif 000010
【００５０】
の傾斜（図４において１５０として表す）でもって上昇していくことになり、その傾斜の大きさは、Ｔ２の区間で高強調電流を供給しないとき、即ち、供給電流レベルが１２０（Ｉ１）のときの傾斜、（数１）（図４において１５１として点線で表す）と比べて２倍の大きさとなり、目標とする発光パワーレベル１３２（Ｐ１）への到達時間、即ち立上がり時間は１／２に短縮されることとなる。
【００５１】
なお、高強調電流を供給しないときの、目標とする発光パワーレベル１３２（Ｐ１）への到達時間、即ち立上がり時間は図４の１３０においてＴで表しており、従って、Ｔ２はＴの半分の長さということになる。
【００５２】
また、本実施の形態では、高強調電流をレーザダイオード５９に供給する区間は、前述したように、高強調電流をレーザダイオード５９に供給しないときの発光パワーレベル波形の立上がり時間Ｔの２分の１としているため、目標とする発光パワーレベル１３２（Ｐ１）への到達と同時に高強調電流のレーザダイオード５９への供給が終了する。従って、区間Ｔ２の終了付近で、発光パワーレベルが、目標とする発光パワーレベル１３２（Ｐ１）を超えることがなく、また、発光パワーレベルが目標とする発光パワーレベル１３２（Ｐ１）にむかって上昇していくときの傾斜が図４において１５０として表した傾斜より緩やかになることがない。
【００５３】
三番目の区間Ｔ１では、すでに到達した発光パワーレベル１３２（Ｐ１）を得るための電流レベル１２０（Ｉ１）が供給されているため発光パワーレベル１３２（Ｐ１）は定常的に次の区間まで持続することになる。
【００５４】
四番目の区間Ｔ３（モノマルチ６１の出力信号１０２の出力パルス幅に相当）では電流レベル１２４（Ｉ４）が供給されるが、従来例での説明と同様の理由によって発光パワーレベルが近似的に
【００５５】
【数１０】
2004310901.tif 000011
【００５６】
の傾斜（図４において１５２として表す）でもって下降していくことになり、その傾斜の大きさは、Ｔ４の区間で低強調電流を供給しないとき、即ち、供給電流レベルが１２３（Ｉ２）のときの傾斜、（数２）（図４において１５３として点線で表す）と比べて２倍の大きさとなり、目標とする発光パワーレベル１３２（Ｐ２）への到達時間は１／２に短縮されることとなる。
【００５７】
なお、低強調電流を供給しないときの、目標とする発光パワーレベル１３２（Ｐ２）への到達時間も図４の１３０においてＴで表しており、従って、Ｔ３はＴの半分の長さということになる。
【００５８】
また、本実施の形態では、低強調電流をレーザダイオード５９に供給する区間は、前述したように、低強調電流をレーザダイオード５９に供給しないときの発光パワーレベル波形の立下り時間Ｔの２分の１としているため、目標とする発光パワーレベル１３１（Ｐ２）への到達と同時に低強調電流のレーザダイオード５９への供給が終了する。従って、区間Ｔ３の終了付近で、発光パワーレベルが、目標とする発光パワーレベル１３１（Ｐ２）を下回ることがなく、また、発光パワーレベルが目標とする発光パワーレベル１３１（Ｐ２）にむかって下降していくときの傾斜が図４において１５２として表した傾斜より緩やかになることがない。
【００５９】
なお、ここでのｔ及びＣは従来例と同様に、ｔは時間であって、図４における横軸を表し、Ｃはレーザダイオードの浮遊容量を表す。
【００６０】
以上説明したように、本実施の形態によれば、レーザダイオードの発光パワーレベルの低レベルから高レベルへの遷移時においては、前記レーザダイオードに高強調電流、即ち、遷移後の目標とする発光パワーレベルよりも大きい発光パワーを得ようとする電流を供給し、高レベルから低レベルへの遷移時においては、前記レーザダイオードに低強調電流、即ち、遷移後の目標とする発光パワーレベルよりも小さい発光パワーを得ようとする電流を供給することにより、その遷移にかかる時間、即ち、レーザダイオードの発光パワーレベルの立上がり時間、立下り時間を短縮することができ、レーザダイオードの発光パワーレベルをより急峻に変化させることができる。
【００６１】
また、高強調電流及び低強調電流は、遷移の前後における目標発光パワーレベルに依存して決定されるため、目標発光パワーレベルが別の値に変更された場合でも、前述した高強調電流及び低強調電流を決定するための指標ｎ及びｍは常に一定（本実施の形態では２）であり、従って、発光パワーレベルの遷移時の急峻性も一定に保っておくことが可能である。
【００６２】
また、本実施の形態では、高強調電流もしくは低強調電流をレーザダイオードに供給する区間は、前述したように、高強調電流もしくは低強調電流をレーザダイオードに供給しないときの発光パワーレベル波形の立上がり時間及び立下り時間Ｔの２分の１としているため、目標とする発光パワーレベルへの到達と同時に高強調電流及び低強調電流のレーザダイオードへの供給が終了する。従って、その終了付近の区間での発光パワーレベルが、目標とする発光パワーレベルを超えること、もしくは下回ることがなく、また、発光パワーレベルが目標とする発光パワーレベルにむかって上昇、もしくは下降していくときの傾斜が図４において１５０、もしくは１５２として表した傾斜より緩やかになることがないため、目標とする発光パワーレベル波形の遷移における発光パワーレベルの変化が均一に保たれた発光パワーレベル波形を得ることが可能である。
【００６３】
なお、前述したように、低強調電流の値は（数８）によって決定され、図１に示す定電流源５７によってレーザダイオード５９に供給される。しかしながら、上記の説明で明らかなように、レーザダイオード５９の目標とする発光パワーレベルの値によっては、低強調電流の値がマイナス値となる場合、即ち、（数５）で決定される定電流源５７の入力電圧（減算器５３の出力直流電圧７１）がマイナス値となる場合が生じる。この場合低強調電流をレーザダイオード５９の逆方向に流すことになるが、この行為はレーザダイオード５９の破損に通じ好ましくない、従って、このような場合には減算器５３にリミッタを設け、マイナス値にならないようにする。従って、低強調電流はゼロとなり、（数８）のＩ４はゼロとなって、この関係より、
【００６４】
【数１１】
2004310901.tif 000012
【００６５】
の値はＩ１に等しくなり、（数１０）に相当する傾斜、即ち、図４において１５２として表す傾斜は
【００６６】
【数１２】
2004310901.tif 000013
【００６７】
で決定されることになる。
【００６８】
なお、本実施の形態では、先に定義した高強調電流を決定するための指標とする数値ｎ、及び低強調電流を決定するための指標とする数値ｍがともに２の場合について説明したが、この数値は基本的に任意に選択することが可能であって、上記した説明によって明らかなように、より大きな数値を選択したときには、レーザダイオードの発光パワーレベルをさらに急峻に変化させることが可能となる。そのための手段としては、本実施の形態の説明に用いた図１に示す定電流源５６及び５７の電圧電流変換定数を所定の値に設定すればよい。この作業は純粋に設計上の問題として処理することが可能であり、容易に実現可能である。
【００６９】
なお、本実施の形態では、所望のレーザダイオードの発光パワーレベルの数が２の場合について説明したが、先に説明したようにさらに多くの発光パワーレベルを要求するシステムについても直ちに展開することが可能である。そのためには、本実施の形態の説明に用いた図１に示す電流源及びアナログスイッチの数、あるいはロジック回路６２動作内容（本実施の形態では図３に真理値表として示している）等を所定の発光パワーレベルの数を考慮して変更すればよい。この作業は純粋にシステム設計、あるいは回路設計上の問題として処理することが可能であり容易に実現可能である。
【００７０】
【発明の効果】
以上説明したように、本発明によれば、レーザダイオードの発光パワーレベルの遷移時において、例えばレーザダイオードの浮遊容量の影響により劣化する遷移時の発光パワーレベルの急峻性を回復させることができ、結果として、光ディスク上に形成されるマークの始端部と終端部の反射率の変化の急峻性も回復させることが可能となる。
【００７１】
また、高強調電流及び低強調電流は、基本的に遷移の前後における目標発光パワーレベルに依存して決定されるため、目標発光パワーレベルが別の値に変更された場合でも一定の急峻性を保っておくことが可能であり、結果として、光ディスク上に始端部と終端部の反射率の変化の急峻性が均一に保たれたマークを形成することが可能となる。
【００７２】
さらに本発明において、その実現手段は、従来例における構成要素の追加と組合せの変更を施すことによって容易に構成することができ、先に繰り返して述べた理由によって、光ディスクへの記録特性の性能向上に大きく寄与し、従って、再生特性の性能向上にも大きく寄与するレーザパワー制御装置提供するものである。
【図面の簡単な説明】
【図１】本発明の実施の形態１のレーザパワー制御装置のブロック図
【図２】本発明の実施の形態１のレーザパワー制御装置の信号波形図
【図３】図１に示すロジック回路６２の真理値表を示す図
【図４】本発明の実施の形態１におけるレーザダイオードの発光パワーレベル波形を示す図
【図５】従来例のレーザパワー制御装置のブロック図
【図６】従来例のレーザパワー制御装置の信号波形図
【図７】従来例におけるレーザダイオードの発光パワーレベル波形を示す図
【符号の説明】
５０，５１  直流電圧源
５２，５３  減算器
５４  加算器
５５，５６，５７，５８  定電流源
５９  レーザダイオード
６０，６１  単安定マルチバイブレータ
６２  ロジック回路
６３，６４，６５，６６  アナログスイッチ
１０７  レーザダイオード５９への供給電流信号
１３０  レーザダイオード５９の発光パワーレベル波形
【図１】
2004310901.tif 000014
【図２】
2004310901.tif 000015
【図３】
2004310901.tif 000016
【図４】
2004310901.tif 000017
【図５】
2004310901.tif 000018
【図６】
2004310901.tif 000019
【図７】
2004310901.tif 000020